(57)【要約】【課題】  高信頼性の振動センサを提供する。【解決手段】  重り１上部に磁石２を設け、筐体４の溝４ａ内に前記重り１とバネ３を入れる。重り１の上方には平板状の蓋７を取り付ける。前記筐体４と蓋７の間には、密閉材５を介在配置し、外部からのゴミ等の溝４ａ内への浸入を防止している。密閉材５は、筐体４の溝４ａ開口部を除く前記蓋７との対向面全面に配置される構成である。前記蓋７の上部には、前記重り１に設けられた磁石２と対向する部位に磁気検知素子６を設け、重り１の可動による磁力の強弱を出力電圧に変え、出力端子９により外部に出力する。出力端子９より電源を受給するとともにバッテリー１１を搭載することで独立して可動することができる。【選択図】図１
2008241701.tif 000002
【特許請求の範囲】
【請求項１】
物体の振動を検出する振動センサにおいて、
バネと被検出素子とを具備した重りと、
前記重りの摺動部となる溝を有した筐体と、
前記被検出素子の位置を検出するための検出素子を具備した蓋と、
前記筐体と前記蓋との間に前記摺動部内に異物が混入するのを防ぐ密閉材とを有してなり、
前記筐体が振動するに伴い、バネと被検出素子とを具備した前記重りが前記摺動部を移動し検出素子の出力レベルが変化することによって振動を検出することを特徴とする振動センサ。
【請求項２】
前記密閉材は、
前記溝の開口部の少なくとも一部を覆うことを特徴とする請求項１に記載の振動センサ。
【請求項３】
前記蓋には、
前記溝と対向する位置に凹部が形成されていることを特徴とする請求項１〜３の何れか１つに記載の振動センサ。
【請求項４】
前記筐体の周囲あるいは一部が充填剤で覆われていることを特徴とする請求項１〜４の何れか１つに記載の振動センサ。
【請求項５】
前記充填剤がシリコーン系の充填剤であり、
前記密閉材がシリコーン系の密閉材であることを特徴とする請求項４に記載の振動センサ。
【請求項６】
前記検出素子が磁気検知素子であり、
前記被検出素子が磁石であることを特徴とする請求項１〜５の何れか１つに記載の振動センサ。
【発明の詳細な説明】
【技術分野】
【０００１】
本発明は、振動センサに関するものである。
【背景技術】
【０００２】
物体の振動レベルを検出するセンサとして、バネと被検出素子とを取り付けた重りと、重りの摺動部となる溝を有した筐体と、前記被検出素子の位置を検出するための検出素子を具備した蓋とを有し、前記筐体が振動するに伴い、筐体内部の前記バネと被検出素子を有した重りが上下動することにより検出素子の出力レベルの変化で振動を検出する振動センサが知られている。（例えば特許文献１参照）
【特許文献１】実用新案登録第３０２９３１３号
【発明の開示】
【発明が解決しようとする課題】
【０００３】
前記した従来の振動センサを製品に搭載する上で、製品との固定や他の信号処理基板などをモジュール化するため、もしくは製品完成後に人目に付かないように隠すために振動センサの筐体周囲を充填材で覆う必要がある。この場合、筐体内部の重りの摺動部内には、充填材が入り込まないように何らかのシール手段が必要となる。
【０００４】
前記した従来の振動センサは機械、自動車、電気製品などの振動を検出する手段として利用され、盗難などの防犯に利用されており、さらなる防犯性、耐久性の向上が要求されている。
【０００５】
前記した従来の振動センサの構成では、重りが上下することで筐体に衝突し、重り又は重りに搭載されている被検出素子、筐体が破損することがある。
【０００６】
前記振動センサの重りが上下することで筐体に衝突し、衝突音により振動センサを認識され防犯性が悪くなる。
【０００７】
また、前記重りに搭載されている磁石が磁気検出素子との間が離れすぎると感度が悪くなる。
【０００８】
また、前記密閉材が充填材の硬化に悪影響を及ぼすと密閉材周囲が硬化せず筐体内部に入り込みやすくなるといった不具合が生じる。
【０００９】
本発明では、高信頼性の振動センサを提供することを課題とする。
【課題を解決するための手段】
【００１０】
物体の振動を検出する振動センサにおいて、バネと被検出素子とを具備した重りと、前記重りの摺動部となる溝を有した筐体と、前記被検出素子の位置を検出するための検出素子を具備した蓋と、前記筐体と前記蓋との間に前記摺動部内に異物が混入するのを防ぐ密閉材とを有してなり、前記筐体が振動するに伴い、バネと被検出素子とを具備した前記重りが前記摺動部を移動し検出素子の出力レベルが変化することによって振動を検出する振動センサとする。
【００１１】
前記密閉材は、前記溝の開口部の少なくとも一部を覆う振動センサとする。
【００１２】
前記蓋には、前記溝と対向する位置に凹部が形成されている振動センサとする。
【００１３】
前記筐体の周囲あるいは一部が充填剤で覆われている振動センサとする。
【００１４】
前記充填剤がシリコーン系の充填剤であり、前記密閉材がシリコーン系の密閉材である振動センサとする。
【００１５】
前記検出素子が磁気検知素子であり、前記被検出素子が磁石である振動センサとする。
【発明の効果】
【００１６】
本発明の振動センサの構成によれば、前記筐体と平板の間に前記摺動部内に異物が混入するのを防ぐ密閉材を設けたので、異物混入や、充填材の浸入による重りの可動性に悪影響を与えることなく、信頼性の高い振動センサが得られる。
【００１７】
本発明の振動センサの構成によれば、密閉材が溝の開口部の少なくとも一部を覆うことで、重りが上下動する上方向にも配置されることとなり、重りが上方向に移動した時の緩衝材となり、耐久性に優れた振動センサを実現できるといった効果がある。
【００１８】
本発明の振動センサの構成によれば、蓋の溝と対向する位置に凹部を設けることで、さらに密閉材の緩衝性が優れるとともに、重りに付いている被検知素子と蓋に付いている検知素子との距離を縮めることができ、感度の良い振動センサを実現できるといった効果がある。
【発明を実施するための最良の形態】
【００１９】
以下、本発明の振動センサの実施形態について、図面を参照して詳細に説明する。
【実施例１】
【００２０】
図１及び図２は本発明に係わる振動センサの一実施例の構成を示す図で、図１は振動センサの正面断面図。図２はその側面から見た側面断面図である。
【００２１】
図１及び図２に示すように、重り１に磁石２とバネ３を設け、筐体４の溝４ａ内に重り１を入れる。重り１の上方に平板状の蓋７を取り付ける。前記筐体４と蓋７の間には、密閉材５を介在配置し、外部からのゴミ等の溝４ａ内への浸入を防止している。密閉材５は、筐体４の溝４ａ開口部を除く蓋７との対向面全面に配置される構成である。
【００２２】
前記蓋７の上部には、前記重り１に設けられた磁石２と対向する部位に磁気検知素子６を設け、重り１の移動による磁力の強弱を出力電圧に変え、出力端子９により外部に出力する。
【００２３】
前記筐体４を外カバー８内に組み込み、周囲を充填材１０で囲うことによりモジュールが完成する。前記密閉材５はシリコーンゴムを用い、充填材１０もシリコーン系の充填材とする。密閉材５により充填材１０の溝４ａ内への浸入も防止できる。
【００２４】
出力端子９より電源を受給する他にバッテリー１１を搭載することで独立して可動することができる。
【００２５】
前記モジュールに振動が加わることにより、重りが上下するのに伴い磁石２が磁気検知素子６に近づいたり離れたりすることで、出力電圧が変化し、振動を検出することができる。
【実施例２】
【００２６】
図３は本発明に係わる振動センサの他の実施例で、正面断面図である。基本構成は、図１及び図２に示す実施例１と同様である。本実施例は、密閉材５ａが溝４ａの開口部を覆い、蓋７を取り付けている点が、実施例１との相違点である。
【００２７】
密閉材５ａは、シリコーンゴム等で構成する。当該構成によれば、重り１が上昇した時に直接蓋７には衝突せずに、シリコーンゴムの密閉材５が緩衝材となることで静音性に優れ、耐久性の良い振動センサが実現できる。
【実施例３】
【００２８】
図４は本発明に係わる振動センサの他の実施例で、正面断面図である。開口部を覆う密閉材５ｂは、緩衝材として機能すればよく、図３に示すような溝４ａの開口部全面を覆う必要はなく、溝４ａの開口部の一部を覆う形状でもよい。
【実施例４】
【００２９】
図５は本発明に係わる振動センサの他の実施例で、正面断面図及び部分拡大図である。
【００３０】
蓋７の密閉材５ａ側に溝４ａと対向する凹部１２を設けることによって、重り１が密閉材５ａに衝突した時の緩衝性が優れるとともに磁気検知素子６との距離も近くなることで大きな出力が可能となり、耐久性に優れ、感度の良い振動センサが実現できる。
【図面の簡単な説明】
【００３１】
【図１】本発明に係わる振動センサの一実施例の構成を示す図で、正面断面図。
【図２】本発明に係わる振動センサの一実施例の構成を示す図で、側面断面図。
【図３】本発明に係わる振動センサの他の実施例で、正面断面図。
【図４】本発明に係わる振動センサの他の実施例で、正面断面図。
【図５】本発明に係わる振動センサの他の実施例で、正面断面図及び部分拡大図。
【符号の説明】
【００３２】
１      重り
２      磁石
３      バネ
４      筐体
４ａ    溝
５      密閉材
５ａ    密閉材
５ｂ    密閉材
６      磁気検知素子
７      蓋
８      外カバー
９      出力端子
１０    充填材
１１    バッテリー
１２    凹部
【図１】
2008241701.tif 000003
【図２】
2008241701.tif 000004
【図３】
2008241701.tif 000005
【図４】
2008241701.tif 000006
【図５】
2008241701.tif 000007